(57)【要約】【課題】後側の面と回路基板との間に通気路を確保し、回路基板より下側の吸気口から吸気した空気を、後側の面と回路基板との間の通気路を自然対流で排気口へと通気させることができる薄型表示装置を提供する。【解決手段】前側に表示面を有する表示部１の後側の面１ａに取付けられる回路基板７（５，６）を、該回路基板７に実装されている実装部品７１が前記後側の面１ａと対向するように配置し、表示部１の後側を被覆するキャビネット９に、回路基板７より下側で開口する吸気口９３を、上側で開口し、吸気口９３から吸気された空気を排気する排気口９４を夫々設け、吸気口９３及び排気口９４の間に自然対流用の通気路を設けた。【選択図】図２
2008197391.tif 000002
【特許請求の範囲】
【請求項１】
前側に表示面を有する表示部と、該表示部の後側を被覆するキャビネットとを備え、前記表示部の後側の面に、実装部品が実装されている基板を取付けてなる薄型表示装置において、前記基板は、実装部品が前記後側の面と対向するように配置され、前記キャビネットは前記基板より下側に吸気口を、上側に排気口を夫々設けてあることを特徴とする薄型表示装置。
【請求項２】
前記基板の横方向の両側に、前記吸気口から吸気された空気を上方へ案内する通気案内板を設けてある請求項１記載の薄型表示装置。
【請求項３】
一面に前記基板が装着され、且つ縁部から前記基板側へ立上り、前記後側の面に取付けられる立上片を有する台板を備える請求項１記載の薄型表示装置。
【請求項４】
前記台板は金属板を成形してなる請求項３記載の薄型表示装置。
【請求項５】
前記一面は、前記基板の非実装面の一部に接触して前記実装部品が発生する熱を逃がすべき導熱部を有する請求項３又は４記載の薄型表示装置。
【請求項６】
前記基板は横方向に複数並置されており、一の基板は、変圧器と、該変圧器の高圧側に接続されている実装部品、及び前記変圧器の低圧側に接続されている実装部品とを有し、該低圧側の実装部品を他の基板側に配してある請求項１乃至５のいずれか一つに記載の薄型表示装置。
【請求項７】
前記一の基板は、前記低圧側の実装部品よりも高圧側の実装部品側に放熱体を設けてある請求項６記載の薄型表示装置。
【請求項８】
前記後側の面は、前記表示部を補強し、且つ前記一の基板側の空気と、他の基板側の空気との流通を抑制する補強桟を設けてある請求項６又は７記載の薄型表示装置。
【請求項９】
前記基板は横方向に複数並置されており、前記後側の面は、前記表示部を補強し、且つ隣り合う二つの基板側の空気が流通するのを抑制する補強桟を設けてある請求項１乃至３のいずれか一つに記載の薄型表示装置。
【発明の詳細な説明】
【技術分野】
【０００１】
本発明は液晶表示装置、プラズマ表示装置、ＳＥＤディスプレイ、ＥＬディスプレイ等の薄型表示装置に関する。
【背景技術】
【０００２】
テレビ等の表示装置は、画像を表示する表示面を前側に有する表示部と、下側に吸気孔及び上側に排気孔を有し、前記表示部の後側を被覆するキャビネットと、該キャビネット内の上側に配されたファンとを備え、該ファンの駆動により前記吸気孔からキャビネット内へ吸気した空気を前記排気孔から外部へ排気し、キャビネット内の温度上昇を抑制するように構成されている（例えば特許文献１参照）。
【０００３】
また、液晶テレビはパネルを有する表示部の後側に複数のランプが上下に並設され、さらに該ランプの後側に、パネルに表示する映像を処理させるメイン回路基板、及び該メイン回路基板に電圧を供給する電源回路基板等の複数の基板が表示部の後側の面と平行的に取付けられている。
【特許文献１】特開平１０−２３３９７９号公報
【発明の開示】
【発明が解決しようとする課題】
【０００４】
ところが、放熱用のファンを備える表示装置にあっては、ファンが排気する際に騒音が発生し、この騒音が排気口から外部へ洩れるため、ファンを用いることなく自然対流で放熱するのが好ましい。
【０００５】
しかし、表示装置は前後の厚さが年々薄くなっており、基板が収容されるキャビネット内の前後長さが短縮されているし、また、基板は、基板自体が前記後側の面と対向し、後側の面と基板との間に通気路がないため、液晶テレビにあっては、上下に並設されるランプを有するバックライト部が発生する熱、及び基板に実装されている実装部品が発生する熱により加熱された空気を自然対流で外部に排気するのは殆ど困難であり、また、薄型プラズマテレビにあっては表示パネルが発生する熱、及び基板に実装されている実装部品が発生する熱により加熱された空気を自然対流で外部に排気するのは殆ど困難であり、改善策が要望されていた。
【０００６】
本発明は斯かる事情に鑑みてなされたものであり、主たる目的は基板を、実装部品が表示部の後側の面と対向するように配置し、該基板より下側に吸気口を、上側に排気口を夫々配することにより、後側の面と基板との間に通気路を確保し、基板より下側の吸気口から吸気した空気を、後側の面と基板との間の通気路を自然対流で排気口へと通気させることができる薄型表示装置を提供することにある。
【０００７】
また、他の目的は吸気口から吸気された空気を上方へ案内する通気案内板を基板の横方向の両側に設けることにより、基板部分の自然対流による通気性をより一層高めることができる薄型表示装置を提供することにある。
【０００８】
また、他の目的は一面に基板が装着され、且つ縁部から基板側へ立上り、後側の面に取付けられる立上片を有する台板を設けることにより、基板のレイアウトに応じた通気路を容易に確保することができる薄型表示装置を提供することにある。
【０００９】
また、他の目的は金属板を成形してなる台板とすることにより、基板に実装されている実装部品が発生する熱を台板に伝熱して逃がすことができる薄型表示装置を提供することにある。
【００１０】
また、他の目的は基板の非実装面の一部に接触して前記実装部品が発生する熱を逃がすべき導熱部を台板に設けることにより、発熱量が多い実装部品が実装されている基板であっても、発熱量が多い実装部品部分の放熱性を高めることができる薄型表示装置を提供することにある。
【００１１】
また、他の目的は基板を横方向に複数並置し、一の基板は、変圧器と、該変圧器の高圧側に接続されている実装部品、及び変圧器の低圧側に接続されている実装部品とを有し、該低圧側の実装部品を他の基板側に配することにより、高圧側の実装部品が発生する熱が、他の基板に実装されている実装部品に影響するのを回避でき、実装部品の温度上昇を抑制することができる薄型表示装置を提供することにある。
【００１２】
また、他の目的は一の基板を、低圧側の実装部品よりも高圧側の実装部品側に放熱体を設けてある構成とすることにより、高圧側の実装部品が発生する熱が、他の基板に実装されている実装部品に影響するのを回避することができる薄型表示装置を提供することにある。
【００１３】
また、他の目的は一の基板及び他の基板の各実装部品間に配置され、表示部を補強する補強桟を後側の面に設けることにより、一の基板側の空気と、他の基板側の空気との流通を抑制することができる薄型表示装置を提供することにある。
【００１４】
また、他の目的は表示部の後側の面に、表示部を補強し、且つ隣り合う二つの基板側の空気が流通するのを抑制する補強桟を設けることにより、隣り合う二つの基板側の空気が流通するのを抑制することができる薄型表示装置を提供することにある。
【課題を解決するための手段】
【００１５】
本発明に係る薄型表示装置は、前側に表示面を有する表示部と、該表示部の後側を被覆するキャビネットとを備え、前記表示部の後側の面に、実装部品が実装されている基板を取付けてなる薄型表示装置において、前記基板は、実装部品が前記後側の面と対向するように配置され、前記キャビネットは前記基板より下側に吸気口を、上側に排気口を夫々設けてあることを特徴とする。
【００１６】
この発明にあっては、後側の面に対して基板が後方へ離隔し、後側の面と基板との間に実装部品が配置され、後側の面と基板との間に通気路を確保することができるため、基板より下側の吸気口から吸気した空気を、後側の面と基板との間の通気路を自然対流で排気口へと通気させることができ、基板部分の自然対流による通気性を高めることができる。従って、ファンによる騒音がなく、しかも、キャビネット内の前後長さを長くすることなく自然対流による放熱性を高めることができ、キャビネット内の温度上昇を抑制することができる。
【００１７】
また、本発明に係る薄型表示装置は、前記基板の横方向の両側に、前記吸気口から吸気された空気を上方へ案内する通気案内板を設けてあることを特徴とする。
【００１８】
この発明にあっては、後側の面と基板との間で、且つ、両側の通気案内板の間に通気路を確保することができるため、基板より下側の吸気口から吸気した空気を、後側の面と基板との間の通気路を排気口へと自然対流で効率よく通気させることができ、基板部分の自然対流による通気性をより一層高めることができる。従って、自然対流による放熱性をより一層高めることができる。
【００１９】
また、本発明に係る薄型表示装置は、一面に前記基板が装着され、且つ縁部から前記基板側へ立上り、前記後側の面に取付けられる立上片を有する台板を備えることを特徴とする。
【００２０】
この発明にあっては、台板を替えることにより基板の前記後側の面に対する離隔距離を変えることができるため、基板のレイアウトに応じた通気路を容易に確保することができる。
【００２１】
また、本発明に係る薄型表示装置は、前記台板は金属板を成形してなることを特徴とする。
【００２２】
この発明にあっては、基板に実装されている実装部品が発生する熱を台板へ伝熱し、各実装部品と離隔した側へ逃がすことができるため、通気路での通気性を高めることができることと相俟って自然対流による放熱性をより一層高めることができる。
【００２３】
また、本発明に係る薄型表示装置は、前記一面は、前記基板の非実装面の一部に接触して前記実装部品が発生する熱を逃がすべき導熱部を有することを特徴とする。
【００２４】
この発明にあっては、基板に実装されている実装部品が発生する熱を導熱部から台板へ直接逃がすことができるため、発熱量が多い実装部品が実装されている基板であっても、発熱量が多い実装部品部分の放熱性を高めることができる。
【００２５】
また、本発明に係る薄型表示装置は、前記基板は横方向に複数並置されており、一の基板は、変圧器と、該変圧器の高圧側に接続されている実装部品、及び前記変圧器の低圧側に接続されている実装部品とを有し、該低圧側の実装部品を他の基板側に配してあることを特徴とする。
【００２６】
この発明にあっては、一の基板の発熱量が多い高圧側の実装部品を、他の基板と離隔させることができるため、高圧側の実装部品が発生する熱が、他の基板に実装されている実装部品に影響するのを回避でき、実装部品の温度上昇を抑制することができる。
【００２７】
また、本発明に係る薄型表示装置は、前記一の基板は、前記低圧側の実装部品よりも高圧側の実装部品側に放熱体を設けてあることを特徴とする。
【００２８】
この発明にあっては、高圧側の実装部品が発生する熱を放熱体から放熱することができるため、高圧側の実装部品が発生する熱が、他の基板に実装されている実装部品に影響するのを回避でき、実装部品の温度上昇を抑制することができる。
【００２９】
また、本発明に係る薄型表示装置は、前記後側の面は、前記表示部を補強し、且つ前記一の基板側の空気と、他の基板側の空気との流通を抑制する補強桟を設けてあることを特徴とする。
【００３０】
この発明にあっては、一の基板側の空気と、他の基板側の空気との流通を補強桟が抑制するため、高圧側の実装部品が発生する熱が、他の基板に実装されている実装部品に影響するのを回避でき、実装部品の温度上昇をより一層抑制することができる。
【００３１】
また、本発明に係る薄型表示装置は、前記基板は横方向に複数並置されており、前記後側の面は、前記表示部を補強し、且つ隣り合う二つの基板側の空気が流通するのを抑制する補強桟を設けてあることを特徴とする。
【００３２】
この発明にあっては、隣り合う二つの基板側の空気が流通するのを補強桟が抑制するため、一の基板に実装されている実装部品が発生する熱が、他の基板に実装されている実装部品に影響するのを回避でき、実装部品の温度上昇を抑制することができる。また、後側の面とキャビネットとの間に補強桟により生ずる空間に実装部品を配置することができるため、補強桟を備える割に薄型表示装置の前後厚さを短縮できる。
【発明の効果】
【００３３】
以上詳述したように本発明によれば、後側の面に対して基板が後方へ離隔し、後側の面と基板との間に実装部品が配置され、後側の面と基板との間に通気路を確保することができるため、基板より下側の吸気口から吸気した空気を、後側の面と基板との間の通気路を自然対流で排気口へと通気させることができ、基板部分の自然対流による通気性を高めることができる。従って、ファンによる騒音がなく、しかも、キャビネット内の前後長さを長くすることなく自然対流による放熱性を高めることができ、キャビネット内の温度上昇を抑制することができる。
【００３４】
また、本発明によれば、後側の面と基板との間で、且つ、両側の通気案内板の間に通気路を確保することができ、基板部分の自然対流による通気性をより一層高めることができる。
【００３５】
また、本発明によれば、台板を替えることにより基板の前記後側の面に対する離隔距離を表示装置の機種に応じて変えることができ、基板のレイアウトに応じた通気路を容易に確保することができる。
【００３６】
また、本発明によれば、基板に実装されている実装部品が発生する熱を台板に伝熱して逃がすことができ、通気路での通気性を高めることができることと相俟って自然対流による放熱性をより一層高めることができる。
【００３７】
また、本発明によれば、基板に実装されている実装部品が発生する熱を導熱部から台板へ直接逃がすことができるため、発熱量が多い実装部品が実装されている基板であっても、発熱量が多い実装部品部分の放熱性を高めることができる。
【００３８】
また、本発明によれば、高圧側の実装部品が発生する熱が、他の基板に実装されている実装部品に影響するのを回避でき、実装部品の温度上昇を抑制することができる。
【００３９】
また、本発明によれば、高圧側の実装部品が発生する熱を放熱体から放熱することができ、高圧側の実装部品が発生する熱が、他の基板に実装されている実装部品に影響するのを回避でき、実装部品の温度上昇を抑制することができる。
【００４０】
また、本発明によれば、一の基板側の空気と、他の基板側の空気との流通を補強桟が抑制し、高圧側の実装部品が発生する熱が、他の基板に実装されている実装部品に影響するのを回避でき、実装部品の温度上昇をより一層抑制することができる。また、補強桟を備える割に薄型表示装置の前後厚さを短縮できる。
【００４１】
また、本発明によれば、隣り合う二つの基板側の空気が流通するのを補強桟が抑制し、一の基板に実装されている実装部品が発生する熱が、他の基板に実装されている実装部品に影響するのを回避でき、実装部品の温度上昇を抑制することができる。また、後側の面とキャビネットとの間に補強桟により生ずる空間に実装部品を配置することができるため、補強桟を備える割に薄型表示装置の前後厚さを短縮できる。
【発明を実施するための最良の形態】
【００４２】
以下本発明をその実施の形態を示す図面に基づいて詳述する。
実施の形態１
図１は本発明に係る薄型表示装置の構成を示す後側の模式的斜視図、図２は模式的縦断側面図、図３は模式的横断平面図、図４はキャビネットを取外した状態の模式的斜視図、図５は表示部の模式的背面図、図６は表示部の模式的平面図、図７は電源回路基板の一部を拡大した斜視図、図８は台板の一部を拡大した断面図である。
【００４３】
図示した薄型表示装置は、前側にパネル部１１を有し、後側に該パネル部１１へ光を照射するバックライト部１２を有し、略直方体をなす表示部１と、該表示部１の後側の面１ａで、横方向中間の二箇所に取付けられた補強桟２，２と、バックライト部１２を駆動するインバータ回路基板３，３と、パネル部１１の駆動及び制御を行う制御回路基板４と、パネル部１１に表示する映像を処理させるメイン回路基板５及びサブ回路基板６と、メイン回路基板５及びサブ回路基板６に電圧を供給する電源回路基板７と、メイン回路基板５，サブ回路基板６及び電源回路基板７が装着される台板８と、表示部１の周縁部及び後側を被覆するキャビネット９とを備える薄型液晶テレビ、換言すれば薄型表示装置である。
【００４４】
インバータ回路基板３，３、制御回路基板４、メイン回路基板５、サブ回路基板６及び電源回路基板７の夫々の一面（実装面）には複数の実装部品が実装されている。
【００４５】
パネル部１１は、前側に表示面を有し略直方体をなすパネル１１ａ、及び該パネル１１ａの後側に配置された拡散板等の光学シート１１ｂを備える。バックライト部１２は、前記光学シート１１ｂの後側に上下に並置され、該光学シート１１ｂ側へ光を照射する複数本のランプ１２ａと、該ランプ１２ａを収容支持するシャーシ１２ｂとを備える。前記ランプ１２ａは両端部に電極を有する冷陰極管であり、夫々のランプ１２ａの両端部の電極にインバータ回路基板３，３が接続され、パルス幅変調信号により明るさが制御されるように構成されている。
【００４６】
シャーシ１２ｂは略直方体をなし、金属板を成形してなる枠部と、該枠部の後側端を閉塞し、金属板を成形してなる蓋板とを有し、該蓋板が表示部１の後側の面１ａになっている。
【００４７】
後側の面１ａの両側部にはインバータ回路基板３，３がビスにより取付けられており、後側の面１ａの下部で横方向中央部には制御回路基板４がビスにより取付けられている。また、後側の面１ａの制御回路基板４及びインバータ回路基板３，３の間に補強桟２，２が取付られ、該補強桟２，２の後側に、メイン回路基板５，サブ回路基板６及び電源回路基板７の各実装面が後側の面１ａと対向するように台板８を配置してある。
【００４８】
補強桟２，２は金属板を断面凹形に成形してなり、後側の面１ａに載置されて複数のビスにより取付けられ、シャーシ１２ｂを補強、ひいては表示部１を補強している。
【００４９】
台板８は後側の面１ａ及び補強桟２，２と対向し、メイン回路基板５，サブ回路基板６及び電源回路基板７が一面に取着される板部８１と、該板部８１の両側縁から他面側（回路基板と反対側）へ立上る矩形の立上片８２とを有し、熱伝導性の高いアルミニウム板等の形成されている金属板からなり、立上片８２が後側の面１ａにビス止めされるように構成されている。尚、立上片８２が通気案内板を構成している。
【００５０】
板部８１は直方形をなし、長手方向一側の一面に電源回路基板７が取付けられ、長手方向他側の一面にメイン回路基板５とサブ回路基板６とが長手方向に並べて取付けられている。また、板部８１のメイン回路基板５及びサブ回路基板６と対向する箇所には、発熱量が比較的多い実装部品に対応する箇所の非実装面に接触して実装部品が発生する熱を逃がすべき凸状の導熱部８３が複数設けられている。
【００５１】
電源回路基板７は、変圧器と、該変圧器の高圧側に接続されている電解コンデンサ、コイル等の複数の実装部品７１と、高圧側の実装部品７１が発生した熱を放熱する放熱体７２と、前記変圧器の低圧側に接続されているダイオード等の複数の実装部品７３とを有し、高圧側の実装部品７１及び放熱体７２を一側（メイン回路基板５と反対側）に並置し、低圧側の実装部品７３を他側（メイン回路基板５側）に並置してある。また、低圧側の実装部品７３は高圧側の実装部品７１よりも実装面からの高さが低い。
【００５２】
放熱体７２は前後に離隔して対向するフィンを有し、柱形をなすアルミニウム製の成形体からなり、長手方向を上下にして二つが横方向に並置されている。
【００５３】
電源回路基板７を備える台板８が後側の面１ａに取付けられる際、高圧側の実装部品７１及び放熱体７２が補強桟２と離隔する側に配置され、低圧側の実装部品７３がメイン回路基板５に接近する側で、且つ補強桟２の後側に配置され、高圧側の実装部品７１及び放熱体７２と、メイン回路基板５に実装されている実装部品との間に補強桟２が配される。また、高圧側の実装部品７１と低圧側の実装部品７３とは横方向に離隔配置され、この高圧側の実装部品７１と低圧側の実装部品７３との間を通気路としてある。
【００５４】
キャビネット９は、表示部１の周縁部を被覆する枠部９１と、深皿形をなし、表示部１の後側を被覆する蓋板部９２とを有しており、枠部９１及び蓋板部９２がシャーシ１２ｂに複数のビスにより取付けられている。蓋板部９２の下部で、台板８の下側、詳しくは台板８の下端に対応する位置に、外部の空気をキャビネット９２内に吸気する長孔状の吸気口９３を設け、蓋板部９２の上部で、台板８の上側、詳しくは台板８の上端に対応する位置に、キャビネット９内の空気を自然循環で外部へ排気する長孔状の排気口９４を設けてある。
【００５５】
以上のように構成された薄型表示装置は、表示部１の後側の面１ａに、二つの補強桟２，２と、インバータ回路基板３，３と、制御回路基板４と、メイン回路基板５，サブ回路基板６と、電源回路基板７とが取付けられている。
【００５６】
補強桟２，２は後側の面１ａに載置され、インバータ回路基板３，３及び制御回路基板４は補強桟２，２と対向しない箇所に取付けられている。メイン回路基板５，サブ回路基板６及び電源回路基板７は台板８に装着され、該台板８が補強桟２，２よりも後側に配置されており、該台板８と後側の面１ａとの間に補強桟２，２の厚さ相当分の空間が生じている。
【００５７】
台板８はメイン回路基板５，サブ回路基板６及び電源回路基板７の実装面が後側の面１ａと後方へ離隔して対向するように配置されているため、後側の面１ａとメイン回路基板５，サブ回路基板６及び電源回路基板７との間で、且つ両側の立上片８２，８２間に通気路１０を確保することができる。具体的には、一方の補強桟２と一方の立上片８２との間に第１の通気路１０ａを、補強桟２，２間に第２の通気路１０ｂを、他方の補強桟２と他方の立上片８２との間に第３の通気路１０ｃを夫々設けることができる。一方の補強桟２は第１及び第２の通気路１０ａ，１０ｂの空気の流通を抑制し、他方の補強桟２は第２及び第３の通気路１０ｂ，１０ｃの空気の流通を抑制している。
【００５８】
第１〜第３の通気路１０ａ〜１０ｃの下側には吸気口９３が設けられており、第１〜第３の通気路１０ａ〜１０ｃの上側には排気口９４が設けられているため、吸気口９３と排気口９４との間に、第１〜第３の通気路１０ａ〜１０ｃに連通する自然対流用の通気路１０を確保することができる。因って、自然対流で吸気口９３からキャビネット９内に吸気した空気を、第１〜第３の通気路１０ａ〜１０ｃを自然対流で排気口９４へと通気させることができ、排気口９４から外部へ排気（放熱）することができ、メイン回路基板５，サブ回路基板６及び電源回路基板７部分の自然対流による通気性を高めることができる。
【００５９】
また、台板８は熱伝導性の高い金属板を成形してなるため、各回路基板の実装部品が発生した熱を各回路基板から台板８へ効率よく伝熱させることができ、また、メイン回路基板５及びサブ回路基板６に実装されている発熱量が比較的多い実装部品が発生する熱を導熱部８３から台板８へ直接逃がすことができるため、発熱量が比較的多い実装部品７１部分の放熱性を高めることができる。
【００６０】
実施の形態２
図９は本発明に係る表示装置の他の構成を示す模式的横断平面図である。この表示装置は、実施の形態１の台板８をなくし、メイン回路基板５，サブ回路基板６及び電源回路基板７を、実装面が後側の面１ａと対向する状態で後側の面に対して後方へ離隔配置したものである。この場合、メイン回路基板５，サブ回路基板６及び電源回路基板７は、各回路基板又はシャーシ１２ｂに複数の立上部を設け、該立上部により夫々の回路基板を離隔支持する。尚、各立上部は各回路基板又はシャーシ１２ｂと一体である他、別に形成されたものを取付ける構成としてもよい。また、各立上部は実施の形態１と同様に板状とする他、柱状としてもよい。
その他の構成及び作用は実施の形態１と同様であるため、同様の部品については同じ符合を付し、その詳細な説明及び作用効果の説明を省略する。
【００６１】
尚、以上説明した実施の形態では二つの補強桟２，２を備える構成したが、その他、一つの補強桟２を備える構成としてもよいし、また、補強桟２のない構成としてもよい。また、メイン回路基板５，サブ回路基板６及び電源回路基板７が装着される台板８を備える構成としたが、その他、台板８に装着される回路基板は一つ、二つ、又は四つ以上であってもよく、その個数、及び種類は特定されない。
【００６２】
また、以上説明した実施の形態では板部８１のメイン回路基板５及びサブ回路基板６と対向する箇所に導熱部８３を設けたが、その他、導熱部８３は電源回路基板７の高圧側の実装部品７１に対応する箇所に設けてもよい。
【００６３】
また、本発明に係る薄型表示装置は液晶テレビ等の液晶表示装置である他、プラズマ表示装置、ＥＬディスプレイ等の表示装置であってもよい。
【図面の簡単な説明】
【００６４】
【図１】本発明に係る薄型表示装置の構成を示す後側の模式的斜視図である。
【図２】本発明に係る薄型表示装置の構成を示す模式的縦断側面図である。
【図３】本発明に係る薄型表示装置の模式的横断平面図である。
【図４】本発明に係る薄型表示装置のキャビネットを取外した状態の模式的斜視図である。
【図５】本発明に係る薄型表示装置の表示部の模式的背面図である。
【図６】本発明に係る薄型表示装置の表示部の模式的平面図である。
【図７】本発明に係る薄型表示装置の電源回路基板の一部を拡大した斜視図である。
【図８】本発明に係る薄型表示装置の台板の一部を拡大した断面図である。
【図９】本発明に係る表示装置の他の構成を示す模式的横断平面図である。
【符号の説明】
【００６５】
１    表示部
１ａ  後側の面
２    補強桟
５    メイン回路基板（基板）
６    サブ回路基板（基板）
７    電源回路基板（基板）
７１  高圧側の実装部品
７２  放熱体
７３  低圧側の実装部品
８    台板
８２  立上片（通気案内板）
８３  導熱部
９    キャビネット
９３  吸気口
９４  排気口
【図１】
2008197391.tif 000003
【図２】
2008197391.tif 000004
【図３】
2008197391.tif 000005
【図４】
2008197391.tif 000006
【図５】
2008197391.tif 000007
【図６】
2008197391.tif 000008
【図７】
2008197391.tif 000009
【図８】
2008197391.tif 000010
【図９】
2008197391.tif 000011